(57)【特許請求の範囲】
【請求項１】
下部が段ボール箱の手掛穴に対応する上辺のない略トラック形又は略長方形で、上部が該手掛穴よりも上方に伸びる下辺のない略長方形である異形孔を持つ剥離紙、該異形孔を持つ粘着剤層、該異形孔を持つ合成樹脂製フィルム又は紙及び該異形孔を持たない非通気性合成樹脂製フィルムの順に積層一体化されてなる段ボール箱の手掛穴に用いる防塵用貼着シート。
【請求項２】
下部が段ボール箱の手掛穴に対応する上辺のない略トラック形又は略長方形で、上部が該手掛穴よりも上方に伸びる下辺のない略長方形である異形孔を持つ再湿性接着剤層、該異形孔を持つ紙及び該異形孔を持たない非通気性合成樹脂製フィルムの順に積層一体化されてなる段ボール箱の手掛穴に用いる防塵用貼着シート。
【請求項３】
異形孔が下記の形状である請求項１又は２記載の段ボール箱の手掛穴に用いる防塵用貼着シート。
記
0005524307.tif 000002
【請求項４】
異形孔が下記の形状である請求項１又は２記載の段ボール箱の手掛穴に用いる防塵用貼着シート。
記
0005524307.tif 000003
【請求項５】
請求項１又は２記載の貼着シートが一列に配列されてなり、巻物の形態となっている防塵用貼着シートロール。
【請求項６】
剥離紙を取り除いた請求項１記載の貼着シートの粘着剤層が段ボール箱の内壁に当接するように、かつ、異形孔の下部の略トラック形又は略長方形の箇所が段ボール箱の手掛穴に一致するようにして貼着してなる段ボール箱。
【請求項７】
請求項２記載の貼着シートの再湿性接着剤層に水分を付与して粘着性を与えると共に、該再湿性接着剤層が段ボール箱の内壁に当接するように、かつ、異形孔の下部の略トラック形又は略長方形の箇所が段ボール箱の手掛穴に一致するようにして貼着してなる段ボール箱。
【請求項８】
剥離紙、粘着剤層及び合成樹脂製フィルム又は紙の順に積層貼合されてなる三層シートに、請求項１記載の異形孔を打ち抜いた後、該合成樹脂製フィルム又は該紙と非通気性合成樹脂製フィルムとを、エクストルジョンラミネート法で接着して、積層一体化することを特徴とする請求項１記載の段ボール箱の手掛穴に用いる防塵用貼着シートの製造方法。  
【請求項９】
再湿性接着剤層及び紙の順で積層貼合されてなる二層シートに、請求項２記載の異形孔を打ち抜いた後、該紙と非通気性合成樹脂製フィルムとを、エクストルジョンラミネート法で接着して、積層一体化することを特徴とする請求項２記載の段ボール箱の手掛穴に用いる防塵用貼着シートの製造方法。
【発明の詳細な説明】
【技術分野】
【０００１】
本発明は、薬品や精密機械を収納した段ボール箱の手掛穴から塵埃等が侵入するのを防止するため、手掛穴に貼着するための貼着シートに関するものである。
【背景技術】
【０００２】
従来より、塵埃の付着を嫌う薬品や精密機械を収納した段ボール箱の手掛穴には、防塵用の非通気性合成樹脂製フィルムを貼合することが行われている。たとえば、特許文献１には、段ボール箱手掛穴に対応して開設された貫孔を有する厚紙と、この厚紙の片面に前記貫孔を覆って積層された少なくとも５倍以上の延伸力を有するフィルム（たとえば、ポリウレンフィルム）とからなる、段ボール箱手掛穴部分に貼り付けるための貼着シートが記載されている。この貼着シートを用いて手掛穴部分に貼着すると、少なくとも５倍以上の延伸力を有するポリウレタンフィルムで手掛穴が覆われることになり、手掛穴から塵埃が侵入するのを防止しうる。
【０００３】
特許文献１記載の技術において、５倍以上の延伸力を有する非通気性合成樹脂製フィルムを貼着する理由は、以下のとおりである。すなわち、手掛穴がポリウレタンフィルムで覆われていると、手掛穴に手指を差し入れることができず、人手で運搬しにくくなる。このため、所定の延伸力のあるポリウレタンフィルム等の非通気性合成樹脂製フィルムを貼着し、手掛穴から差し入れた手指で容易にポリウレタンフィルムが伸び、当該フィルムを介して、手指を手掛穴の内側に差し入れることが可能となる。したがって、差し入れた手指で段ボール箱の手掛穴の上側を把持することができ、段ボール箱の人手による運搬が容易になるのである。
【０００４】
【特許文献１】特開昭６２−１６８８５０号公報
【発明の概要】
【発明が解決しようとする課題】
【０００５】
しかしながら、５倍以上の延伸力を有するポリウレタンフィルム等の非通気性合成樹脂製フィルムは高価であるという欠点があった。本発明はかかる欠点を解消し、延伸力の殆どない通常市販されている非通気性合成樹脂製フィルムを使用しながら、手掛穴に容易に手指を差し入れることができるようにして、防塵用のフィルムが貼着された段ボール箱を、人手によって容易に運搬できるようにすることを課題とするものである。
【課題を解決するための手段】
【０００６】
本発明は、貼着シートに異形孔を設けることによって、手掛穴の上方に隙間を形成せしめ、この隙間に手指を差し入れることができるようにしたものである。
【０００７】
具体的な第一態様は、下部が段ボール箱の手掛穴に対応する上辺のない略トラック形又は略長方形で、上部が該手掛穴よりも上方に伸びる下辺のない略長方形である異形孔を持つ剥離紙、該異形孔を持つ粘着剤層、該異形孔を持つ合成樹脂製フィルム又は紙及び該異形孔を持たない非通気性合成樹脂製フィルムの順に積層一体化されてなる段ボール箱の手掛穴に用いる防塵用貼着シートに関するものである。
【０００８】
図１及び図２は、第一態様の一例に係る段ボール箱の手掛穴に用いる防塵用貼着シートを非通気性合成樹脂製フィルム側から見た表面図である。図３及び図４は、この防塵用貼着シートを剥離紙側から見た裏面図である。図５はこれらの防塵用貼着シートの側面図であり、図６はこれらの防塵用貼着シートの中央横断面図である。本発明は、剥離紙側から、剥離紙１、粘着剤層２、合成樹脂製フィルム又は紙３、接着剤層４及び非通気性合成樹脂製フィルム６の順に積層一体化されてなる防塵用貼着シートに関するものである。そして、剥離紙１、粘着剤層２、合成樹脂製フィルム又は紙３には、異形孔５が設けられている。接着剤層４は、一般に、非通気性合成樹脂製フィルム６の全面に亙って存在している。異形孔５というのは、下部が段ボール箱の手掛穴７に対応し上辺のない略トラック形で、上部が手掛穴７よりも上方に伸びる下辺のない略長方形となっている。具体的には、図７に示した形状の孔である。また、下部が段ボール箱の手掛穴７に対応し上辺のない略長方形で、上部が手掛穴７よりも上方に伸びる下辺のない略長方形となっていてもよい。具体的には、図８に示した形状の孔である。これらの異形孔５の下部が略トラック形又は略長方形になっているのは、段ボール箱の手掛穴７の形状が略トラック形であるか又は略長方形だからである。非通気性合成樹脂製フィルム６は、最終的に手掛穴７に張設され手掛穴７を覆うものであるため、異形孔５は設けられていない。なお、本発明に係る防塵用貼着シートは、剥離紙１を取り除いて段ボール箱に貼着されるものであるため、剥離紙１は取り除きやすいように、粘着剤層２、合成樹脂製フィルム又は紙３、接着剤層４及び非通気性合成樹脂製フィルム６の周辺外方にはみ出した状態で積層されている（図１及び図２）。
【０００９】
剥離紙１としては、粘着剤層２側に離型処理が施されている従来公知のものが用いられる。粘着剤層２としても、アクリル系粘着剤等の従来公知のものが用いられる。合成樹脂製フィルム３としては、ポリエステルフィルムやポリオレフィンフィルムを用いることができ、一般的には透明なものが用いられる。また、紙３としても従来公知のものが用いられる。接着剤層４としては、非通気性合成樹脂製フィルム６と同種の合成樹脂を用いるのが好ましい。非通気性合成樹脂製フィルム６と親和性があり、非通気性合成樹脂製フィルム６を良好に合成樹脂製フィルム３又は紙３に接着しうるからである。具体的には、ポリエチレン樹脂等のポリオレフィン樹脂、酢酸ビニル樹脂、エチレン−酢酸ビニル重合体樹脂、ポリエステル樹脂等が用いられる。
【００１０】
非通気性合成樹脂製フィルム６としては、空気を実質的に透過させないようにして、空気と共に塵埃が透過しないものであれば、従来公知のものが用いられる。本発明で用いる非通気性合成樹脂製フィルム６は、５倍以上の延伸力を持つ必要はなく、若干の伸びはあるものの、実質的に延伸力のないものである。また、非通気性合成樹脂製フィルム６は透明なのものであっても不透明なものでもよく、また着色されていても着色されていなくてもよい。具体的には、通常市販されているポリエチレンフィルム、ポリプロピレンフィルム、ポリエステルフィルム、ポリアミドフィルム等を用いることができる。
【００１１】
第一態様に係る防塵用貼着シートは種々の方法で製造されるが、一例を挙げれば、以下のとおりである。すなわち、剥離紙、粘着剤層及び合成樹脂製フィルム又は紙の順に積層貼合されてなる三層シートに、請求項１記載の異形孔を打ち抜いた後、該合成樹脂製フィルム又は該紙と非通気性合成樹脂製フィルムとを、エクストルジョンラミネート法で接着して、積層一体化するというものである。エクストルジョンラミネート法というのは、加熱溶融させた接着剤となるうる合成樹脂をＴダイに供給し、Ｔダイからフィルム状にして押し出して、これを合成樹脂製フィルム又は紙３と非通気性合成樹脂製フィルム６の間に挟んで、一対の加圧ロール間に通しながら冷却して、合成樹脂製フィルム又は紙３と非通気性合成樹脂製フィルム６とを接着し積層一体化する方法である。この際、Ｔダイに供給する合成樹脂と、非通気性合成樹脂製フィルムの素材が同一であると、接着剤である合成樹脂と非通気性合成樹脂製フィルムとが完全に一体化し、見掛け上は接着剤層４が存在しないような状態となる。
【００１２】
上記した製造方法をさらに詳細に述べれば、以下のとおりである。まず、剥離紙１、粘着剤層２及び合成樹脂製フィルム又は紙３の順に積層貼合されてなる三層シートを準備する。この三層シートは、一般的に任意の幅を持つ長尺状のものであり、巻物として準備するのが好ましい。一方、非通気性合成樹脂製フィルム６を準備する。この非通気性合成樹脂製フィルム６も、一般的に任意の幅を持つ長尺状のものであり、巻物として準備するのが好ましい。そして、Ｔダイの下方に三層シートの巻物を載置し、Ｔダイの上方に非通気性合成樹脂製フィルム６の巻物を載置し、両者の巻物から巻き戻して繰り出された三層シートと合成樹脂製フィルム６の間に、Ｔダイから押し出された加熱溶融したフィルム状の合成樹脂を挟んで、一対の加圧ロール間に通して冷却することにより、三層シートと非通気性合成樹脂製フィルム６とが接着され積層一体化される。なお、三層シートの合成樹脂製フィルム又は紙３が、Ｔダイから押し出された加熱溶融したフィルム状の合成樹脂に当接し接着することは、前記したとおりである。この結果、非通気性合成樹脂製フィルム６は、異形孔５を打ち抜かれた三層シートと圧着され、剥離紙１、粘着剤層２、合成樹脂製フィルム又は紙３、接着剤層４及び非通気性合成樹脂製フィルム６の順で積層一体化されたシートを得ることができる。
【００１３】
準備された三層シートが長尺状のものであると、多数の異形孔が長手方向に並んだものを得ることになる。また、準備された三層シートの幅が狭い場合は、一列に異形孔が長手方向に並び、その幅が広い場合は、複数列に異形孔が長手方向に並んだものを得ることになる。最終的には、異形孔５が一個の防塵用貼着シートとして供給されるか、又は異形孔５が長手方向に一列に並んだ状態、すなわち、防塵用貼着シートが一列に配列した状態となった巻物の形態（貼着シートロール）で供給される。なお、図９は、ロール８から一部巻き戻した状態であり、本発明の一例に係る防塵用貼着シートを非通気性合成樹脂製フィルム６側から見たものである。そして、前者の場合には、剥離紙１を取り除いて手張りによって段ボール箱の手掛穴に貼着され、後者の場合にはラベリング装置によって自動的に剥離紙１が取り除かれて、組み立て前の段ボール箱の手掛穴７に一枚づつ貼着される。なお、防塵用貼着シートの形態であっても、防塵用貼着シートロールの形態であっても、剥離紙１は、取り除きやすいように、粘着剤層２、合成樹脂製フィルム又は紙３、接着剤層４及び非通気性合成樹脂製フィルム６の周辺外方にはみ出した状態で積層されている。
【００１４】
本発明の具体的な第二態様は、異形孔を持つ再湿性接着剤層、該異形孔を持つ紙及び該異形孔を持たない非通気性合成樹脂製フィルムの順に積層一体化されてなる段ボール箱の手掛穴に用いる防塵用貼着シートに関するものである。
【００１５】
第二態様は、剥離紙１を持たない点、粘着剤層２として再湿性接着剤層を用いている点及び合成樹脂製フィルムを使用せずに紙を使用する点で第一態様と異なるが、その他は、第一態様と同一である。再湿性接着剤は、水分を付与することにより粘着性が与えられ、水分が蒸発又は紙に吸収されることにより固化して接着力を発現するものである。したがって、水分を付与しない通常の状態では粘着性を持たないので剥離紙１は不要である。また、再湿性接着剤が塗布される基材は水分を吸収しやすい紙を用いるので、合成樹脂製フィルムは通常用いられない。
【００１６】
また、第二態様に係る防塵用貼着シートの製造方法も、剥離紙１が用いられていない点、粘着剤層２として再湿性接着剤層が用いられている点及び合成樹脂製フィルムは使用せずに紙を使用する点を除いて、第一態様に係る防塵用貼着シートの製造方法と同一である。したがって、第二態様に係る防塵用貼着シートの製造方法は、以下のとおりである。すなわち、再湿性接着剤層及び紙の順で積層貼合されてなる二層シートに、請求項２記載の異形孔を打ち抜いた後、該紙と非通気性合成樹脂製フィルムとを、エクストルジョンラミネート法で接着して、積層一体化するというものである。
【００１７】
以上説明したように、本発明に係る防塵用貼着シートは、最終的に一枚毎に裁断された防塵用貼着シートとして供給されるか、一枚毎に裁断されずに防塵用貼着シートが一列に配列されてなる巻物の形態となって供給される。一枚毎に裁断された防塵用貼着シートとして供給された場合は、組み立て前又は後の段ボール箱の内壁に、防塵用貼着シートから剥離紙１を取り除いて粘着剤層２が当接するようにして、かつ、手掛穴７に異形孔５の下部が一致するようにして、防塵用貼着シートを貼り付ける。また、粘着剤層２に代えて再湿性接着剤層が設けられている場合は、再湿性接着剤に水分を付与して粘着性を与え、この状態で、再湿性接着剤が段ボール箱の内壁に当接するようにして、かつ、手掛穴７に異形孔５の下部が一致するようにして、防塵用貼着シートを貼り付ける。また、防塵用貼着シートが一列に配列されてなる巻物の形態として防塵用貼着シートロールで供給された場合は、このロールをラベリング装置に適用し、組み立て前の段ボール箱の手掛穴７に自動的に貼着する。この場合も、粘着剤層２又は再湿性接着剤層が段ボール箱の内壁に当接するように、かつ、手掛穴７に異形孔５の下部が一致するようにして貼着される。以上のようにして、図１０に示したような段ボール箱が出来上がるのである。
【００１８】
そして、この段ボール箱に、薬品や精密機械等を収納する。この段ボール箱の手掛穴には、防塵用貼着シートによって非通気性合成樹脂製フィルムが張設されているので、塵埃の段ボール箱内部への侵入を防止することができる。そして、段ボール箱を人手で運搬する場合には、以下のような効果を奏するのである。
【発明の効果】
【００１９】
本発明に係る防塵用貼着シートを用いて得られた段ボール箱の手掛穴近傍の構造は、図１１のようになっている。図１１は、防塵用貼着シートを貼合した段ボール箱の手掛穴近傍の縦断面図であり、手掛穴７の上部において、段ボール箱９の内壁と、手掛穴７に貼合された防塵用貼着シートの非通気性合成樹脂製フィルム６の間に隙間１０が生じている。したがって、段ボール箱を人手で運搬する場合、手掛穴７の外部から手指を隙間１０に差し入れることができ、段ボール箱を人手で運搬しやすくなるという効果を奏する。たとえば、防塵用貼着シートに異形孔５を設けずに、手掛穴７に略一致する孔を設けた場合、これを段ボール箱の手掛穴に貼合すると、手掛穴近傍の構造は図１２の如くになる。この場合、前記隙間１０が生じておらず、手指を差し入れることができず、段ボール箱９の外壁と内壁の厚みの箇所に手を当てて運搬することになり、運搬しにくいのである。
【図面の簡単な説明】
【００２０】
【図１】本発明第一態様の一例に係る段ボール箱の手掛穴に用いる防塵用貼着シートを非通気性合成樹脂製フィルム側から見た表面図である。
【図２】本発明第一態様の他の例に係る段ボール箱の手掛穴に用いる防塵用貼着シートを非通気性合成樹脂製フィルム側から見た表面図である。
【図３】図１に示した防塵用貼着シートを剥離紙側から見た裏面図である。
【図４】図２に示した防塵用貼着シートを剥離紙側から見た裏面図である。
【図５】図１に示した防塵用粘着シートの側面図である。
【図６】図１に示した防塵用粘着シートの中央横断面図である。
【図７】本発明でいう異形孔の一例を示す図である。
【図８】本発明でいう異形孔の他の例を示す図である。
【図９】本発明の他の例に係る段ボール箱の手掛穴に用いる防塵用貼着シートロールであり、ロールから一部巻き戻した状態を非通気性合成樹脂製フィルム側から見た表面図である。
【図１０】図１に示した防塵用貼着シートを段ボール箱の手掛穴に貼着した状態を示した斜視図である。
【図１１】図１に示した防塵用貼着シートをダンボール箱の手掛穴に貼着した状態を示す、手掛穴近傍の縦断面図である。
【図１２】本発明に基づかない防塵用貼着シートを段ボール箱の手掛穴に貼着した状態を示す、手掛穴近傍の縦断面図である。
【符号の説明】
【００２１】
１    剥離紙
２    粘着剤層
３    合成樹脂製フィルム又は紙
４    接着剤層
５    異形孔
６    非通気性合成樹脂製フィルム
７    手掛穴
８    ロール
９    段ボール箱
１０  隙間
【図１】
0005524307.tif 000004
【図２】
0005524307.tif 000005
【図３】
0005524307.tif 000006
【図４】
0005524307.tif 000007
【図５】
0005524307.tif 000008
【図６】
0005524307.tif 000009
【図７】
0005524307.tif 000010
【図８】
0005524307.tif 000011
【図９】
0005524307.tif 000012
【図１０】
0005524307.tif 000013
【図１１】
0005524307.tif 000014
【図１２】
0005524307.tif 000015